(57)【特許請求の範囲】
【請求項１】
少なくともターミナル部を設けたフレームと、このフレームの中央孔部に装着された磁気回路と、前記ターミナル部を除く前記フレームの前記磁気回路の周縁に設けられた複数の第１の音孔と、前記磁気回路の磁気ギャップに一端が嵌め込まれたボイスコイルの他端を結合した外周が前記フレームに結合された振動板と、この振動板を覆うように前記フレームに装着された複数の第２の音孔を設けたプロテクタとで構成されるスピーカであって、前記複数の第２の音孔を前記プロテクタの前記ターミナル部側に偏って配置して設けることで前記振動板の振動に伴う前記フレーム側からの不均一に入り込む空気とのバランスをとる構成としたスピーカ。
【請求項２】
音孔の径寸法が夫々２種類以上異なった径である複数個の第２の音孔をプロテクタに設けた請求項１に記載のスピーカ。
【発明の詳細な説明】
【０００１】
【発明の属する技術分野】
本発明は各種移動体通信機器に使用されるスピーカに関するものである。
【０００２】
【従来の技術】
近年の移動体通信機器の小型化に伴って、その中に使用される移動体通信用のスピーカもますます小型化が望まれている。
【０００３】
ここで、従来の移動体通信用のスピーカについて、図４、図５により説明する。
【０００４】
図４（ａ）は従来の移動体通信用のスピーカの裏面正面図、図４（ｂ）は同半側断面図、図４（ｃ）は同正面図であり、図５は同分解斜視図である。
【０００５】
同図によると、１は空気振動を発生する円形状の振動板であり、この振動板１の外周部は接着剤にて外周に複数の第１の音孔２ａを設けたフレーム２に保持されている。
【０００６】
振動板１の中心部にはボイスコイル３の一端部が固着されており、ボイスコイル３の両端はフレーム２の周縁下方に設けられたターミナル部４に電気的に接続されている。
【０００７】
このターミナル部４はまた音響機器の音声出力端子（図示せず）と接続される。
【０００８】
前記フレーム２の中央孔部にはマグネット５、トッププレート６、ヨーク７から構成される磁気回路８が前記フレーム２の成形時にインサート成形により一体に設けられ、この磁気回路８の空隙部内に前記振動板１に固着されたボイスコイル３の他端部側が嵌め込まれている。
【０００９】
前記ボイスコイル３には前記音響機器の音声出力端子から出力された音声信号がターミナル部４を介して入力され、ボイスコイル３が駆動して振動板１が振動し、音波が放射されるものである。
【００１０】
なお、９はプロテクタであり、振動板１を保護するための役割を果たしている。
【００１１】
また、このプロテクタ９には平面方向から見た中心部を基準に線対称、あるいは点対称な第２の音孔９ａが設けられ、この第２の音孔９ａは振動板１から放射された音波を外方に放射するものである。
【００１２】
【発明が解決しようとする課題】
しかしながら、前記従来のスピーカは、スピーカの小型化が進むにつれ、ターミナル部４のスピーカ全体に対する割合が高くなり、それに伴いフレーム２に設ける第１の音孔２ａが偏り（ターミナル部４には第１の音孔２ａが設けられない）不均衡な配置とならざるを得ず、これによってスピーカ駆動時の振動板１の振動によるスピーカ内への空気の流入が均等にならないため、ローリングの原因となり、スピーカの異常音発生を生ずるという課題を有するものであった。
【００１３】
本発明は前記課題を解決するもので、スピーカが小型でフレーム部の音孔の配置が不均衡であっても、音質の優れたスピーカを提供するものである。
【００１４】
【課題を解決するための手段】
本発明の請求項１に記載の発明は、スピーカのフレームに装着されたプロテクタの複数の第２の音孔をフレームのターミナル部側に偏って配置して設けたものであり、プロテクタ側から入り込む空気を不均一にし、フレーム側から入り込む不均一な空気とのバランスを取り、振動板の振動を歪みの抑制された上下運動に補正し、ローリング現象などの異常音の原因となる現象の低減を図るものである。
【００１５】
本発明の請求項２に記載の発明は、プロテクタに設けた複数の第２の音孔の径寸法を夫々２種類以上異なった径としたものであり、複数の径の音孔を用いることで、よりきめ細かな空気の流入量の調整が可能となり、スピーカの更なる音質向上を図るものである。
【００１６】
【発明の実施の形態】
本発明の実施の形態を図１〜図３により説明する。
【００１７】
なお、説明にあたっては、従来技術と同一部分は同一番号を付与し、説明を省略して説明する。
【００１８】
（実施の形態１）
図１（ａ）は、本発明のスピーカの背面図、図１（ｂ）は同半側断面図、図１（ｃ）は同正面図であり、図２（ａ）は同周波数音圧特性図であり、図２（ｂ）は同歪み特性図であり、主として特許請求の範囲の請求項１について説明する。
【００１９】
同図により従来技術の相違点のみ説明すると、１０はフレーム２に接着により装着されたプロテクタであり、１０ａはこのプロテクタ１０に複数設けられた第２の音孔であり、フレーム２の下方に設けられているターミナル部４と対向するように比較的プロテクタ１０の下方側に偏るように配置されている。
【００２０】
図２（ａ）は本実施の形態１のスピーカと従来のスピーカとの周波数音圧特性を比較したものであり、図２（ｂ）は同歪み特性を示すものであり、いずれも本実施の形態１のスピーカをａ、従来のものをｂとして示したが、この特性図からも明らかなように周波数音圧特性においては極端な差は認められなかったが、歪み特性においては本実施の形態１のスピーカの方が優れていることが確認された。
【００２１】
これは、フレーム２側からターミナル部４を除いた個所にある複数の第１の音孔２ａから不均一に振動板１へ入り込む空気とプロテクタ１０側のターミナル部４側に偏るようにプロテクタ１０に設けた第２の音孔１０ａから不均一に振動板１へ入り込む空気とが調和し、振動板１の歪みの発生を抑制して振動するためと考えられる。
【００２２】
（実施の形態２）
本発明の実施の形態２を図３（ａ）、（ｂ）、（ｃ）により主として特許請求の範囲の請求項２について説明する。
【００２３】
図３（ａ）は本発明の実施の形態２のスピーカの背面図、図３（ｂ）は同半側断面図、図３（ｃ）は同正面図である。同図により図１の実施の形態１のスピーカとの相違点のみ説明すると、１１はプロテクタであり、第２の音孔１１ａは実施の形態１の音孔１０ａと同様にターミナル部４側に偏らせて設けるとともに、この第２の音孔１１ａの孔径として３種類の孔径の音孔を設けたものである。
【００２４】
以上のように第２の音孔１１ａの孔径の異なるものを複数個用いることで、プロテクタ１１側から入り込む空気の量をより細かくバランスよく調整できるものであり、よりスピーカの高音質化を図ることができるものである。
【００２５】
なお、前述の実施の形態ではいずれも第２の音孔１０ａおよび１１ａは全て中心より下側のターミナル部４の対向側に設けたもので説明したが、前述の説明から明らかなようにフレーム２側からの空気の流入のバランスの不均一をプロテクタ１０または１１のターミナル部４に対向する部分の空気の流入量を他の部分より多くしてバランスさせるというものであるから、本実施の各形態に限定されることなく、空気の流入量が小さいものであれば、中心より上側に音孔を設けてもよく、それによりきめ細かなバランス調整も可能となるものである。
【００２６】
【発明の効果】
以上のように、本発明のスピーカは、プロテクタの複数の第２の音孔の位置を調整してプロテクタを介して流入する空気の流入と、フレーム側から不均一に入り込む空気とのバランスをとることで、振動板での歪みを抑制し、音質の向上を図ったスピーカの提供を可能とするものである。
【図面の簡単な説明】
【図１】（ａ）本発明のスピーカの実施の形態１の背面図
（ｂ）同半側断面図
（ｃ）同正面図
【図２】（ａ）同周波数音圧特性図
（ｂ）同歪み特性図
【図３】（ａ）同実施の形態２の背面図
（ｂ）同半側断面図
（ｃ）同正面図
【図４】（ａ）従来のスピーカの背面図
（ｂ）同半側断面図
（ｃ）同正面図
【図５】同分解斜視図
【符号の説明】
１  振動板
２  フレーム
２ａ  第１の音孔
３  ボイスコイル
４  ターミナル部
５  マグネット
６  トッププレート
７  ヨーク
８  磁気回路
１０、１１  プロテクタ
１０ａ、１１ａ  第２の音孔
【図１】
0004126870.tif 000002
【図２】
0004126870.tif 000003
【図３】
0004126870.tif 000004
【図４】
0004126870.tif 000005
【図５】
0004126870.tif 000006